【手続補正書】
【提出日】平成25年6月10日(2013.6.10)
【手続補正１】
【補正対象書類名】明細書
【補正対象項目名】００２０
【補正方法】変更
【補正の内容】
【００２０】
本発明は、以下のとおりである。
１）以下の工程を含む、アンモニア性窒素及びカルシウム含有廃水の脱窒処理方法。
カルシウム濃度制御工程：アンモニア性窒素及びカルシウム含有廃水中のカルシウム濃度を亜硝酸化工程の運転条件に応じて制御する工程
亜硝酸化工程：カルシウム濃度制御工程で得られた廃水存在下、担体にアンモニア酸化菌を固定化するとともに該廃水を亜硝酸化する工程
脱窒工程：亜硝酸化工程で得られた亜硝酸及びアンモニア性窒素を含む廃水を脱窒処理する工程
２）上記１）のアンモニア性窒素及びカルシウム含有廃水の脱窒処理方法を実施する装置であって、前記カルシウム濃度制御工程に用いられる装置は、該廃水のカルシウム濃度を測定する装置、カルシウムを除去する装置、Ｍ−アルカリ度濃度、及びＮＨ４−Ｎ濃度を測定する装置を備えた槽を含み、前記亜硝酸化工程に用いられる装置は、前記Ｍ−アルカリ度濃度、及びＮＨ４−Ｎ濃度を測定する装置と連絡した中和剤添加量制御装置、及び該中和剤添加量制御装置に連絡した中和剤注入装置を備えた亜硝酸化槽を含み、前記脱窒工程に用いられる装置は、脱窒槽を含む、アンモニア性窒素及びカルシウム含有廃水の脱窒処理装置。
本発明は、具体的には、以下のとおりである。
（１）アンモニア性窒素及びカルシウム含有廃水の脱窒処理方法であって、
廃水のカルシウム（Ｃａ）濃度、Ｍ−アルカリ度濃度、及びアンモニア性窒素（ＮＨ４−Ｎ）濃度を測定し、
前記測定されたカルシウム（Ｃａ）濃度（Ｃｉｎ）と、Ｍ−アルカリ度濃度（Ｃ２）と、所定の目標カルシウム濃度（Ｃｏｕｔ）とから炭酸ナトリウム（Ｎａ２ＣＯ３）の所定添加量を算出し、
前記カルシウム（Ｃａ）濃度が低減された軟化処理水を得るために前記算出された所定添加量の炭酸ナトリウム（Ｎａ２ＣＯ３）を、前記廃水に添加し、
亜硝酸化処理水を得るためにアンモニア酸化菌を担体に付着固定させて前記軟化処理水の前記アンモニア性窒素（ＮＨ４−Ｎ）を亜硝酸化処理（ＮＯ２−Ｎ）し、
アンモニア脱窒処理水を得るためにアンモニア酸化菌を担体に付着固定させて前記亜硝酸化処理水を脱窒処理し、
前記廃水の軟化処理、亜硝酸化、脱窒処理により、前記カルシウム濃度を低減した前記アンモニア脱窒処理水を得ることを特徴とするアンモニア性窒素及びカルシウム含有廃水の脱窒処理方法。
（２）前記廃水のカルシウム濃度（Ｃｉｎ）、Ｍ−アルカリ度濃度（Ｃ２）、目標カルシウム濃度（Ｃｏｕｔ）から炭酸ナトリウム（Ｎａ２ＣＯ３）の添加量（Ｃ０）（Ｃ０＝（Ｃｉｎ−Ｃｏｕｔ）×ａ−Ｃ２／１．０６（ｍｇ／Ｌ）、ａは係数）を算出し、
前記添加量Ｃ０の炭酸ナトリウム（Ｎａ２ＣＯ３）を該廃水に添加することを特徴とする上記（１）のアンモニア性窒素及びカルシウム含有廃水の脱窒処理方法。
（３）前記亜硝酸化処理は、Ｍ−アルカリ度／ＮＨ４−Ｎ比を３．７〜４．４とした前記軟化処理水に対して行われることを特徴とする上記（１）又は（２）のアンモニア性窒素及びカルシウム含有廃水の脱窒処理方法。
（４）前記亜硝酸化処理は、カルシウム濃度を１００ｍｇ／Ｌ以下、又は１００〜５００ｍｇ／Ｌとした前記軟化処理水に対して行われることを特徴とする上記（１）〜（３）のいずれか１項のアンモニア性窒素及びカルシウム含有廃水の脱窒処理方法。
（５）前記亜硝酸化処理は、ＰＯ４−Ｐ（リン）濃度を０．１〜１ｍｇ／Ｌとした前記軟化処理水に対して行われることを特徴とする上記（１）〜（４）のいずれか１項のアンモニア性窒素及びカルシウム含有廃水の脱窒処理方法。
（６）廃水のカルシウム（Ｃａ）濃度、Ｍ−アルカリ度濃度、及びアンモニア性窒素（ＮＨ４−Ｎ）濃度を測定する濃度測定装置を有するアンモニア性窒素及びカルシウム含有廃水の脱窒処理装置であって、
前記測定されたカルシウム（Ｃａ）濃度（Ｃｉｎ）と、Ｍ−アルカリ度濃度（Ｃ２）と、所定の目標カルシウム濃度（Ｃｏｕｔ）とから算出した所定添加量の炭酸ナトリウム（Ｎａ２ＣＯ３）を、前記廃水に添加し、前記カルシウム（Ｃａ）濃度が低減された軟化処理水を得る軟化処理装置と、
アンモニア酸化菌を担体に付着固定させて前記軟化処理水の前記アンモニア性窒素（ＮＨ４−Ｎ）を亜硝酸化処理（ＮＯ２−Ｎ）し、亜硝酸化処理水をえる亜硝酸化処理装置と、
アンモニア酸化菌を担体に付着固定させて前記亜硝酸化処理水を脱窒処理し、アンモニア脱窒処理水を得る脱窒処理装置と、
を有し、前記廃水のカルシウム濃度を前記軟化処理で、低減し、亜硝酸化、脱窒処理することにより、前記アンモニア酸化菌を担体に安定付着可能とすることを特徴とするアンモニア性窒素及びカルシウム含有廃水の脱窒処理装置。
（７）前記炭酸ナトリウム（Ｎａ２ＣＯ３）の添加量（Ｃ０）は、
前記廃水のカルシウム濃度（Ｃｉｎ）、Ｍ−アルカリ度濃度（Ｃ２）、目標カルシウム濃度（Ｃｏｕｔ）から該添加量（Ｃ０）（Ｃ０＝（Ｃｉｎ−Ｃｏｕｔ）×ａ−Ｃ２／１．０６（ｍｇ／Ｌ）、ａは係数）により算出し、
前記添加量Ｃ０で該廃水に添加し、カルシウム濃度を低減することを特徴とする上記（６）のアンモニア性窒素及びカルシウム含有廃水の脱窒処理装置。
【手続補正２】
【補正対象書類名】特許請求の範囲
【補正対象項目名】全文
【補正方法】変更
【補正の内容】
【特許請求の範囲】
【請求項１】
アンモニア性窒素及びカルシウム含有廃水の脱窒処理方法であって、
廃水のカルシウム（Ｃａ）濃度、Ｍ−アルカリ度濃度、及びアンモニア性窒素（ＮＨ４−Ｎ）濃度を測定し、
前記測定されたカルシウム（Ｃａ）濃度（Ｃｉｎ）と、Ｍ−アルカリ度濃度（Ｃ２）と、所定の目標カルシウム濃度（Ｃｏｕｔ）とから炭酸ナトリウム（Ｎａ２ＣＯ３）の所定添加量を算出し、
前記カルシウム（Ｃａ）濃度が低減された軟化処理水を得るために前記算出された所定添加量の炭酸ナトリウム（Ｎａ２ＣＯ３）を、前記廃水に添加し、
亜硝酸化処理水を得るためにアンモニア酸化菌を担体に付着固定させて前記軟化処理水の前記アンモニア性窒素（ＮＨ４−Ｎ）を亜硝酸化処理（ＮＯ２−Ｎ）し、
アンモニア脱窒処理水を得るためにアンモニア酸化菌を担体に付着固定させて前記亜硝酸化処理水を脱窒処理し、
前記廃水の軟化処理、亜硝酸化、脱窒処理により、前記カルシウム濃度を低減した前記アンモニア脱窒処理水を得ることを特徴とするアンモニア性窒素及びカルシウム含有廃水の脱窒処理方法。
【請求項２】
前記廃水のカルシウム濃度（Ｃｉｎ）、Ｍ−アルカリ度濃度（Ｃ２）、目標カルシウム濃度（Ｃｏｕｔ）から炭酸ナトリウム（Ｎａ２ＣＯ３）の添加量（Ｃ０）（Ｃ０＝（Ｃｉｎ−Ｃｏｕｔ）×ａ−Ｃ２／１．０６（ｍｇ／Ｌ）、ａは係数）を算出し、
前記添加量Ｃ０の炭酸ナトリウム（Ｎａ２ＣＯ３）を該廃水に添加することを特徴とする請求項１のアンモニア性窒素及びカルシウム含有廃水の脱窒処理方法。
【請求項３】
前記亜硝酸化処理は、Ｍ−アルカリ度／ＮＨ４−Ｎ比を３．７〜４．４とした前記軟化処理水に対して行われることを特徴とする請求項１又は２のアンモニア性窒素及びカルシウム含有廃水の脱窒処理方法。
【請求項４】
前記亜硝酸化処理は、カルシウム濃度を１００ｍｇ／Ｌ以下、又は１００〜５００ｍｇ／Ｌとした前記軟化処理水に対して行われることを特徴とする請求項１〜３のいずれか１項のアンモニア性窒素及びカルシウム含有廃水の脱窒処理方法。
【請求項５】
前記亜硝酸化処理は、ＰＯ４−Ｐ（リン）濃度を０．１〜１ｍｇ／Ｌとした前記軟化処理水に対して行われることを特徴とする請求項１〜４のいずれか１項のアンモニア性窒素及びカルシウム含有廃水の脱窒処理方法。
【請求項６】
廃水のカルシウム（Ｃａ）濃度、Ｍ−アルカリ度濃度、及びアンモニア性窒素（ＮＨ４−Ｎ）濃度を測定する濃度測定装置を有するアンモニア性窒素及びカルシウム含有廃水の脱窒処理装置であって、
前記測定されたカルシウム（Ｃａ）濃度（Ｃｉｎ）と、Ｍ−アルカリ度濃度（Ｃ２）と、所定の目標カルシウム濃度（Ｃｏｕｔ）とから算出した所定添加量の炭酸ナトリウム（Ｎａ２ＣＯ３）を、前記廃水に添加し、前記カルシウム（Ｃａ）濃度が低減された軟化処理水を得る軟化処理装置と、
アンモニア酸化菌を担体に付着固定させて前記軟化処理水の前記アンモニア性窒素（ＮＨ４−Ｎ）を亜硝酸化処理（ＮＯ２−Ｎ）し、亜硝酸化処理水をえる亜硝酸化処理装置と、
アンモニア酸化菌を担体に付着固定させて前記亜硝酸化処理水を脱窒処理し、アンモニア脱窒処理水を得る脱窒処理装置と、
を有し、前記廃水のカルシウム濃度を前記軟化処理で、低減し、亜硝酸化、脱窒処理することにより、前記アンモニア酸化菌を担体に安定付着可能とすることを特徴とするアンモニア性窒素及びカルシウム含有廃水の脱窒処理装置。
【請求項７】
前記炭酸ナトリウム（Ｎａ２ＣＯ３）の添加量（Ｃ０）は、
前記廃水のカルシウム濃度（Ｃｉｎ）、Ｍ−アルカリ度濃度（Ｃ２）、目標カルシウム濃度（Ｃｏｕｔ）から該添加量（Ｃ０）（Ｃ０＝（Ｃｉｎ−Ｃｏｕｔ）×ａ−Ｃ２／１．０６（ｍｇ／Ｌ）、ａは係数）により算出し、
前記添加量Ｃ０で該廃水に添加し、カルシウム濃度を低減することを特徴とする請求項６のアンモニア性窒素及びカルシウム含有廃水の脱窒処理装置。